(57)【特許請求の範囲】
【請求項１】
ハードディスク本体を収納し接続用のコネクタを持つハードディスクボックスと、
デスクトップ型パーソナルコンピュータの増設空間に固定され前記ハードディスクボックスを装着／離脱自在とされており、装着された前記ハードディスクボックスのコネクタを前記デスクトップ型パーソナルコンピュータに接続するトレイとを有し、
前記ハードディスクボックスに、前記ハードディスク本体をマスタ又はスレーブと設定する第１の切り替えスイッチを設け、
前記トレイに、前記デスクトップ型パーソナルコンピュータの内蔵ハードディスク装置をマスタ又はスレーブと設定する第２の切り替えスイッチを設けた
ことを特徴とするハードディスク装置。
【請求項２】
ハードディスク本体を収納し接続用のコネクタを持つハードディスクボックスと、
ソケットで前記ハードディスクボックスのコネクタに接続すると共に、ＰＣカードでノートブック型パーソナルコンピュータに接続するアダプタとを有し、
前記ハードディスクボックスに、前記ハードディスク本体をマスタ又はスレーブと設定する第１の切り替えスイッチを設けた
ことを特徴とするハードディスク装置。
【発明の詳細な説明】
【０００１】
【発明の属する技術分野】
本発明はハードディスク装置に関し、特に、パーソナルコンピュータに接続して使用するハードディスク装置に関する。
【０００２】
【従来の技術】
従来より、パーソナルコンピュータの外部記憶装置としてハードディスク装置が使用されている。ハードディスク装置を接続するためのインタフェースの規格としてエンハンストＩＤＥが一般的であるが、エンハンストＩＤＥを採用しているデスクトップ型のパーソナルコンピュータではハードディスク装置はコンピュータに内蔵されており、ハードディスク装置を増設する際にはコンピュータ本体のケースを開けてハードディスク装置を設置し配線を行っている。
【０００３】
【発明が解決しようとする課題】
従来のハードディスク装置は、デスクトップ型のパーソナルコンピュータへの増設や交換を行うためには、コンピュータ本体のケースを開けて配線接続を行わなければならず、増設や交換の手間が大変であるというという問題があった。また、デスクトップ型のパーソナルコンピュータに２台のハードディスク装置を内蔵した場合、一方のハードディスク装置をマスタ、他方のハードディスク装置をスレーブと設定するが、その設定はジャンパ線の接続で行っており、上記マスタ／スレーブの設定変更はかなり困難であるという問題があった。
【０００４】
更に、従来は、デスクトップ型のパーソナルコンピュータに接続しているハードディスク装置を取り出してラップトップ型のパーソナルコンピュータに接続することは、実質的に無理であった。
本発明は、上記の点に鑑みなされたもので、デスクトップ型のパーソナルコンピュータへの増設や交換を簡単に行うことができ、また、マスタ／スレーブの設定変更を簡単に行うことができ、デスクトップ型のパーソナルコンピュータとラップトップ型のパーソナルコンピュータそれぞれに簡単に接続変更可能なハードディスク装置を提供することを目的とする。
【０００５】
【課題を解決するための手段】
請求項１に記載の発明は、ハードディスク本体を収納し接続用のコネクタを持つハードディスクボックスと、
デスクトップ型パーソナルコンピュータの増設空間に固定され前記ハードディスクボックスを装着／離脱自在とされており、装着された前記ハードディスクボックスのコネクタを前記デスクトップ型パーソナルコンピュータに接続するトレイとを有し、
前記ハードディスクボックスに、前記ハードディスク本体をマスタ又はスレーブと設定する第１の切り替えスイッチを設け、
前記トレイに、前記デスクトップ型パーソナルコンピュータの内蔵ハードディスク装置をマスタ又はスレーブと設定する第２の切り替えスイッチを設ける。
【０００７】
このように、ハードディスクボックスに第１の切り替えスイッチを設け、トレイに第２の切り替えスイッチを設けることにより、ハードディスクボックスのハードディスク本体とパーソナルコンピュータの内蔵ハードディスク装置とのマスタ／スレーブの設定変更を簡単に行うことができる。
請求項２に記載の発明は、ハードディスク本体を収納し接続用のコネクタを持つハードディスクボックスと、
ソケットでハードディスクボックスのコネクタに接続すると共に、ＰＣカードでノートブック型パーソナルコンピュータに接続するアダプタとを有し、
前記ハードディスクボックスに、前記ハードディスク本体をマスタ又はスレーブと設定する第１の切り替えスイッチを設ける。
このように、アダプタを有することにより、ハードディスクボックスをノートブック型パーソナルコンピュータに接続して使用でき、また、ハードディスクボックスに第１の切り替えスイッチを設けることにより、ハードディスクボックスのハードディスク本体のマスタ／スレーブの設定変更を簡単に行うことができる。
【０００８】
【発明の実施の形態】
図１は本発明のハードディスク装置の一実施例の外観斜視図を示す。同図中、ハードディスクボックス１０は２．５インチハードディスクを収納したものであり、ディスクアタッチメントトレイ２０はパーソナルコンピュータの３．５インチベイ（増設空間）に配設固定され、パーソナルコンピュータの正面からハードディスクボックス１０が装着／離脱自在とされている。ハードディスクボックス１０には前面左方にスライド型の電源スイッチ１１と電源表示用のＬＥＤ（発光ダイオード）１２が設けられ、前面右方にスライド型のマスタ／スレーブ切り替えスイッチ１３（第１の切り替えスイッチ）とマスタ／スレーブ表示用のＬＥＤ１４が設けられている。また、中央には離脱時に指を掛けるための取り掛け部１９が形成されている。また、裏面には図示しない３６ピンの接続コネクタと電源ソケット等が設けられている。
【０００９】
ディスクアタッチメントトレイ２０の挿入口２１は通常、ドア２２によって閉じられている。挿入口２１からハードディスクボックス１０が破線矢印で示すように挿入されるとドア２２が図示のように押し上げられる。ディスクアタッチメントトレイ２０の内部には挿入されたハードディスクボックス１０の接続コネクタが挿入接続される３６ピンの接続ソケット２３が設けられている。この接続ソケット２３の各ピンはＩＤＥ規格の４０ピンの信号接続部２４及び４ピンの電源接続部２５それぞれに接続されており、信号接続部２４及び電源接続部２５はパーソナルコンピュータ内部のＩＤＥ規格のインタフェース及び電源に接続されている。
【００１０】
２ピンのジャンパピン２６は配線２７によってパーソナルコンピュータの内蔵ハードディスク装置（本願装置ではなく既にパーソナルコンピュータに内蔵された装置）のマスタ／スレーブ設定用のジャンパ線に接続される。上記のジャンパピン２６はディスクアタッチメントトレイ２０前面の挿入口２１近傍に配置されたマスタ／スレーブ切り替えスイッチ２８に配線接続されている。マスタ／スレーブ切り替えスイッチ（第２の切り替えスイッチ）２８はパーソナルコンピュータの内蔵ハードディスク装置のマスタ／スレーブ切り替えを行うためのものであり、これに対してマスタ／スレーブ切り替えスイッチ１３はハードディスクボックス１０のマスタ／スレーブ切り替えを行うためのものである。
【００１１】
ハードディスクボックス１０について詳しく説明する。図２に示すプリント基板３０は中央に開口３１を有しており、プリント基板３０は全面に銅等の導体層を挟んだ多層構造である。プリント基板３０上には図３に示すように２．５インチのハードディスク本体３３が開口３１を塞ぐ状態で固定される。ハードディスク本体３３の上面は金属カバーで覆われている。上記の開口３１はハードディスク本体３３の熱を逃がすために設けられており、プリント基板３０の導体層はノイズ遮断用に設けられている。
【００１２】
プリント基板３０上には、この他に図２，図３に示すように電源スイッチ１１、ＬＥＤ１２，１４、マスタ／スレーブ切り替えスイッチ１３、３６ピンの接続コネクタ１５、電源ソケット１６、２ピンの接続端子１７それぞれが設けられている。２ピンの接続端子１７はプリント基板３０の配線によりマスタ／スレーブ切り替えスイッチ１３に接続されている。
【００１３】
ハードディスク本体３３の接続コネクタ１５に対向する面には図４に示すようにＩＤＥ規格の４０ピンの接続コネクタ３５と、４ピンのマスタ／スレーブ切り替え設定ピン３６が設けられている。この接続コネクタ３５はプリント基板３０の配線により３６ピンの接続コネクタ１５に接続され、接続コネクタ３５内の電源ピンがプリント基板３０の配線により電源ソケット１６に接続されている。また、４ピンのマスタ／スレーブ切り替え設定ピン３６の内の２ピンがソケット１８により２ピンの接続端子１７に配線接続される。
【００１４】
４ピンのマスタ／スレーブ切り替え設定ピン３６の内のどの２ピンを接続端子１７に配線接続するかはハードディスク本体３３を製造したメーカーによって異なり、マスタ結線タイプのものでは下側の２ピンが接続端子１７に配線接続され、スレーブ結線タイプのものでは左側の２ピンが接続端子１７に配線接続される。これにより、マスタ／スレーブ切り替えスイッチ１３のノブ１３ａを左にスライドするとハードディスク本体３３がマスタとして設定され、ノブ１３ａを右にスライドするとハードディスク本体３３がスレーブとして設定される。
【００１５】
ここで、ＩＤＥ規格の４０ピンの接続コネクタ３５について説明すると、１，２１，２３，２５，２７〜２９，３１，３２，３４，３７〜３９番ピンは制御信号、２，１９，２２，２４，２６，３０，４０番ピンはグラウンド（ＧＮＤ）、３〜１８番ピンはデータ、２０番ピンは未使用、３３，３５，３６番ピンは内部レジスタアドレスとされている。つまり、２，１９，２２，２６，３０，４０番ピンは重複しており２０番ピンは未使用であるため、３６ピンまでピン数を減少できる。接続コネクタ１５では１，１９，２１〜３０，３４，３５番ピンは制御信号、２，１９番ピンはグラウンド（ＧＮＤ）、３〜１８番ピンはデータ、２０番ピンは未使用、３１〜３３番ピンは内部レジスタアドレス、３６番ピンは電源＋５Ｖとされている。このようにＩＤＥ規格の４０ピンの接続コネクタ３５から３６ピンの接続コネクタ１５に変換することにより、接続コネクタを小型化している。
【００１６】
ハードディスク本体３３を載置してネジ止め固定したプリント基板３０の上下から図５（Ａ），（Ｂ）それぞれに示す上部ケース３８，下部ケース３９が係合されてハードディスクボックス１０が組み立てられている。上部ケース３８，下部ケース３９は衝撃印加時に容易に係合解除するように係合している。これは係合解除することにより、衝撃を吸収してハードディスク本体３３に加わる衝撃を低減するためである。また、下部ケース３９にはプリント基板３０の開口３１に対応する位置にスリット状の複数の通気口４０が設けられている。この通気口４０を空気が流通することにより、ハードディスク本体３３で発生する熱を外部に放熱する効率が向上する。
【００１７】
ところで、電源スイッチ１１はノブ１１ａを左にスライドすると電源オン、ノブ１１ａを右にスライドすると電源オフとなる。ノブ１１ａは図６（Ａ），（Ｂ）の平面図、正面図に示すように、左側に延出するロック部４２を有している。このロック部４２はノブ１１ａを左にスライドして電源オンとしたとき下部ケース３９から側方に突出してディスクアタッチメントトレイ２０の挿入口２１と係合してハードディスクボックス１０がディスクアタッチメントトレイ２０から離脱することを防止する。また、ロック部４２はノブ１１ａを右にスライドして電源オフとしたとき下部ケース３９内に引き込まれてディスクアタッチメントトレイ２０の挿入口２１との係合が解除されハードディスクボックス１０がディスクアタッチメントトレイ２０から離脱可能となる。
【００１８】
ディスクアタッチメントトレイ２０はデスクトップ型のパーソナルコンピュータの３．５インチファイルベイに配設固定されが、図７に示すようにデスクトップ型のパーソナルコンピュータ５０に５．２５インチファイルベイ５２が空いていれば、この５．２５インチファイルベイ５１に５．２５インチトレイ５４を配設固定する。そして、この５．２５インチトレイ５４にディスクアタッチメントトレイ２０を配設固定して使用することができる。この場合もディスクアタッチメントトレイ２０はパーソナルコンピュータの前面から覗出しており、ハードディスクボックス１０の装着／離脱が可能である。
【００１９】
ここで、マスタ／スレーブ切り替えスイッチ２８でパーソナルコンピュータ５０の内蔵ハードディスク装置をマスタと設定した場合はマスタ／スレーブ切り替えスイッチ１３でハードディスクボックス１０をスレーブと設定する。逆に、マスタ／スレーブ切り替えスイッチ２８でパーソナルコンピュータ５０の内蔵ハードディスク装置をスレーブと設定した場合はマスタ／スレーブ切り替えスイッチ１３でハードディスクボックス１０をマスタと設定して使用する。
【００２０】
例えば、パーソナルコンピュータ５０の内蔵ハードディスク装置とハードディスクボックス１０のハードディスク装置とに異なる種類のＯＳ（オペレーティングシステム）を予め格納しておき、上記のマスタ／スレーブ切り替えスイッチ１３，２８を切り替えてパーソナルコンピュータ５０を立ち上げることによって、異なる種類のＯＳを自由に選択して使用することが可能となる。
【００２１】
ハードディスクボックス１０は図８に示すＰＣカードアダプタ６０を用いることにより、ノートブック型のパーソナルコンピュータに接続して使用することができる。この場合は、ノートブック型のパーソナルコンピュータの内蔵ハードディスク装置がマスタで、ハードディスクボックス１０のハードディスク装置は一般的にセカンダリーのマスタとして使用する。図８において、ＰＣカードアダプタ６０の３６ピンの接続ソケット６２にはハードディスクボックス１０の３６ピンの接続コネクタ１５が挿入接続される。接続ソケット６２は配線ケーブル６３によって３６ピンのＰＣカード６４と接続されている。このＰＣカード６４がノートブック型のパーソナルコンピュータのＰＣカードスロットに装着されて使用される。
【００２２】
ところで、接続ソケット６２とＰＣカード６４とは共に３６ピンであるが、ピン位置は互いに異なるため、その変換を配線ケーブル６３によって行っている。なお、ＰＣカード６４には電源ピン、グランドピンが設けられているが、ハードディスクボックス１０の消費電流を十分に供給するだけの容量が無いために、ＡＣアダプタ６５の電源コネクタ６６をハードディスクボックス１０の電源ソケット１６に挿入接続して電源を供給する。
【００２３】
このように、ハードディスクボックス１０はＰＣカードアダプタ６０を用いることにより、ノートブック型のパーソナルコンピュータに接続して使用することができるため、デスクトップ型のパーソナルコンピュータのディスクアタッチメントトレイ２０に装着して使用したハードディスクボックス１０をディスクアタッチメントトレイ２０から離脱して搬送し、別な場所でノートブック型のパーソナルコンピュータに接続して使用することができ、ハードディスクボックス１０は小型軽量であるため、楽に携帯搬送できる。
【００２４】
【発明の効果】
上述の如く、請求項１に記載の発明によれば、ハードディスクボックスに第１の切り替えスイッチを設け、トレイに第２の切り替えスイッチを設けることにより、ハードディスクボックスのハードディスク本体とパーソナルコンピュータの内蔵ハードディスク装置とのマスタ／スレーブの設定変更を簡単に行うことができる。
【００２６】
請求項２に記載の発明によれば、アダプタを有することにより、ハードディスクボックスをノートブック型パーソナルコンピュータに接続して使用でき、また、ハードディスクボックスに第１の切り替えスイッチを設けることにより、ハードディスクボックスのハードディスク本体のマスタ／スレーブの設定変更を簡単に行うことができる。
【図面の簡単な説明】
【図１】本発明のハードディスク装置の一実施例の外観斜視図である。
【図２】プリント基板の平面図である。
【図３】ハードディスク本体を取り付けたプリント基板の斜視図である。
【図４】ハードディスク本体を後ろから見た斜視図である。
【図５】ハードディスクボックスの上部ケースと下部ケースの平面図である。
【図６】電源スイッチのノブの平面図，正面図である。
【図７】本発明のハードディスク装置を用いたパーソナルコンピュータの一実施例の分解斜視図である。
【図８】ＰＣカードアダプタ６０を説明するための斜視図である。
【符号の説明】
１０  ハードディスクボックス
１１  電源スイッチ
１１ａ  ノブ
１２，１４  ＬＥＤ
１３，２８  マスタ／スレーブ切り替えスイッチ
１５，３５  接続コネクタ
１７  接続端子
１６  電源ソケット
１９  取り掛け部
２０  ディスクアタッチメントトレイ
２１  挿入口
２２  ドア
２３  接続ソケット
２４  信号接続部
２５  電源接続部
２６  ジャンパピン
２７  配線
３０  プリント基板
３１  開口
３３  ハードディスク本体
３５  接続コネクタ
３６  マスタ／スレーブ切り替え設定ピン
３８  上部ケース
３９  下部ケース
４０  通気口
４２  ロック部
５０  パーソナルコンピュータ
５２  ５．２５インチファイルベイ
５４  ５．２５インチトレイ
６０  ＰＣカードアダプタ
６２  接続ソケット
６３  配線ケーブル
６４  ＰＣカード
６５  ＡＣアダプタ
６６  電源コネクタ
【図１】
0003550488.tif 000002
【図２】
0003550488.tif 000003
【図３】
0003550488.tif 000004
【図４】
0003550488.tif 000005
【図５】
0003550488.tif 000006
【図６】
0003550488.tif 000007
【図７】
0003550488.tif 000008
【図８】
0003550488.tif 000009